【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
撮像手段を有する撮像装置であって、
前記撮像装置の姿勢を検知する姿勢検知手段と、
前記撮像手段で撮像を行う際に前記姿勢検知手段で検知された姿勢に基づいて、
前記撮像装置が縦に構えられて撮像された場合には、撮像された画像を回転することなく記録媒体に記録するとともに、前記撮像装置が縦に構えられた旨を示す姿勢情報を属性情報として前記画像に関連付けて記録媒体に記録し、
前記撮像装置が逆さに構えられて撮像された画像は、撮像された画像を逆さに回転して記録媒体に記録するように制御する制御手段と
を有することを特徴とする撮像装置。
【請求項２】
前記制御手段は、前記撮像装置が逆さに構えられて撮像された画像は、撮像された画像を逆さに回転して記録媒体に記録するとともに、前記撮像装置が逆さに構えられたことを示す姿勢情報を付与しないように制御することを特徴とする請求項１に記載の撮像装置。
【請求項３】
前記制御手段は、前記撮像装置が逆さに構えられて撮像された画像は、撮像された画像を逆さに回転して記録媒体に記録するとともに、前記撮像装置が正位置で構えられた場合と同じ姿勢情報を付与するように制御することを特徴とする請求項１または２に記載の撮像装置。
【請求項４】
前記制御手段は、
前記撮像装置が正位置に構えられて撮像された場合には、撮像された画像を回転せずに記録するとともに、姿勢情報として姿勢フラグ０度を、
前記撮像装置が正位置から９０度回転した縦位置に構えられて撮像された場合には、撮像された画像を回転せずに記録するとともに、姿勢情報として姿勢フラグ９０度を、
前記撮像装置が逆さに構えられて撮像された場合には、撮像された画像を１８０度回転してから記録するとともに、姿勢フラグ０度を付与し、
前記撮像装置が正位置から２７０度回転した縦位置に構えられて撮像された場合には、撮像された画像を回転せずに記録するとともに、姿勢フラグ２７０度を、
それぞれ撮像された画像に関連付けて記録することを特徴とする請求項１乃至３の何れか１項に記載の撮像装置。
【請求項５】
前記制御手段は、前記撮像装置を２７０度回転させた縦位置に構えて撮影された画像については、画像を１８０度回転させ、姿勢フラグは９０度を付与して記録媒体に記録するように制御することを特徴とする請求項１乃至３の何れか１項に記載の撮像装置。
【請求項６】
撮像手段を有する撮像装置であって、
前記撮像装置の姿勢を検知する姿勢検知手段と、
前記撮像手段で撮像を行う際に前記姿勢検知手段で検知された姿勢に基づいて、
前記撮像装置が、第１の姿勢から９０度回転した第２の姿勢に構えられて撮像された場合には、撮像された画像を回転することなく記録媒体に記録するとともに、前記撮像装置が前記第２の姿勢に構えられた旨を示す姿勢情報を属性情報として前記画像に関連付けて記録媒体に記録し、
前記撮像装置が前記第１の姿勢から１８０度回転した第３の姿勢に構えられて撮像された画像は、撮像された画像を１８０度に回転して記録媒体に記録するように制御する制御手段と
を有することを特徴とする撮像装置。
【請求項７】
前記制御手段は、前記撮像装置が前記第３の姿勢に構えられて撮像された画像は、撮像された画像を１８０度回転して記録媒体に記録するとともに、前記撮像装置が前記第３の姿勢に構えられたことを示す姿勢情報を付与しないように制御することを特徴とする請求項６に記載の撮像装置。
【請求項８】
前記制御手段は、前記撮像装置が前記第３の姿勢に構えられて撮像された画像は、撮像された画像を１８０度回転して記録媒体に記録するとともに、前記撮像装置が前記第１の姿勢で構えられた場合と同じ姿勢情報を付与するように制御することを特徴とする請求項６または７に記載の撮像装置。
【請求項９】
前記制御手段は、前記撮像装置が前記第１の姿勢に構えられて撮像された場合には、撮像された画像を回転せずに記録するとともに、姿勢情報として姿勢フラグ０度を、
前記撮像装置が前記第２の姿勢に構えられて撮像された場合には、撮像された画像を回転せずに記録するとともに、姿勢情報として姿勢フラグ９０度を、
前記撮像装置が前記第３の姿勢に構えられて撮像された場合には、撮像された画像を１８０度回転してから記録するとともに、姿勢フラグ０度を、
前記撮像装置が前記第１の姿勢から２７０度回転した第４の姿勢に構えられて撮像された場合には、撮像された画像を回転せずに記録するとともに、姿勢フラグ２７０度を、
それぞれ撮像された画像に関連付けて記録することを特徴とする請求項６乃至８の何れか１項に記載の撮像装置。
【請求項１０】
前記制御手段は、前記撮像装置が、第１の姿勢から２７０度回転した第４の姿勢に構えられて撮像された場合には、撮像された画像を回転することなく記録媒体に記録するとともに、前記撮像装置が前記第４の姿勢に構えられた旨を示す姿勢情報を属性情報として前記画像に関連付けて記録媒体に記録するように制御することを特徴とする請求項６乃至９の何れか１項に記載の撮像装置。
【請求項１１】
前記制御手段は、前記撮像装置を前記第１の姿勢から２７０度回転させた第４の姿勢に構えて撮影された画像については、画像を１８０度回転させ、姿勢フラグは９０度を付与して記録媒体に記録するように制御することを特徴とする請求項６乃至８の何れか１項に記載の撮像装置。
【請求項１２】
前記姿勢検知手段は、シャッターボタンが全押しされた後で、前記撮像装置を構えた状態の姿勢判定処理を行なうことを特徴とする請求項１乃至１１の何れか１項に記載の撮像装置。
【請求項１３】
前記姿勢検知手段は、シャッターボタンが半押しの状態で、前記撮像装置を構えた状態の姿勢判定処理を行なうことを特徴とする請求項１乃至１２の何れか１項に記載の撮像装置。
【請求項１４】
前記姿勢検知手段は、セルフタイマー撮影においては、セルフタイマーの開始指示があった際に前記撮像装置を構えた状態の姿勢判定処理を行なうことを特徴とする請求項１乃至１３の何れか１項に記載の撮像装置。
【請求項１５】
前記姿勢検知手段は、動画記録開始操作が行われた際には、動画の記録開始時点で、前記撮像装置を構えた状態の姿勢判定処理を行なうことを特徴とする請求項１乃至１４の何れか１項に記載の撮像装置。
【請求項１６】
前記撮像手段から出力されるスルー画像を表示可能な表示装置が、装置本体に対して開閉可能な機構を介して配設されていることを特徴とする請求項１乃至１５の何れか１項に記載の撮像装置。
【請求項１７】
撮像手段を有する撮像装置であって、
前記撮像装置の姿勢を検知する姿勢検知手段と、
前記撮像手段で撮像を行う際に前記姿勢検知手段で検知された姿勢に基づいて、
前記撮像装置が、第１の姿勢に構えられて撮像された場合には、撮像された画像を所定の向きで記録媒体に記録し、
前記撮像装置が、前記第１の姿勢から９０度回転した第２の姿勢に構えられて撮像された場合には、撮像された画像を前記所定の向きで記録媒体に記録するとともに、前記撮像装置が前記第２の姿勢に構えられた旨を示す姿勢情報を属性情報として前記画像に関連付けて記録媒体に記録し、
前記撮像装置が前記第１の姿勢から１８０度回転した第３の姿勢に構えられて撮像された画像は、撮像された画像を前記所定の向きとは１８０度異なる向きで記録媒体に記録するように制御する制御手段と
を有することを特徴とする撮像装置。
【請求項１８】
撮像手段を有する撮像装置であって、
前記撮像装置の姿勢を検知する姿勢検知手段と、
前記姿勢検知手段で第１の姿勢を検知した状態で撮像された場合には、撮像された画像を所定の向きで記録媒体に記録し、
前記姿勢検知手段で前記第１の姿勢から９０度回転した第２の姿勢を検知した状態で撮像された場合には、撮像された画像を前記所定の向きで記録媒体に記録するとともに、前記撮像装置が前記第２の姿勢であった旨を示す姿勢情報を属性情報として前記画像に関連付けて記録媒体に記録し、
前記姿勢検知手段で前記第１の姿勢から１８０度回転した第３の姿勢を検知した状態で撮像された画像は、撮像された画像を前記所定の向きとは１８０度異なる向きで記録媒体に記録するように制御する制御手段と
を有することを特徴とする撮像装置。
【請求項１９】
撮像手段で撮像を行う際に撮像装置の姿勢を検知する姿勢検知手段で検知された姿勢に基づいて、
前記撮像装置が、第１の姿勢から９０度回転した第２の姿勢に構えられて撮像された場合には、撮像された画像を回転することなく記録媒体に記録するとともに、前記撮像装置が前記第２の姿勢に構えられた旨を示す姿勢情報を属性情報として前記画像に関連付けて記録媒体に記録し、
前記撮像装置が前記第１の姿勢から１８０度回転した第３の姿勢に構えられて撮像された画像は、撮像された画像を１８０度に回転して記録媒体に記録するように制御する制御手段と
を有することを特徴とする撮像制御装置。
【請求項２０】
撮像手段を有する撮像装置の制御方法であって、
前記撮像装置の姿勢を検知する姿勢検知工程と、
前記撮像手段で撮像を行う際に前記姿勢検知工程において検知された姿勢に基づいて、
前記撮像装置が縦に構えられて撮像された場合には、撮像された画像を回転することなく記録媒体に記録するとともに、前記撮像装置が縦に構えられた旨を示す姿勢情報を属性情報として前記画像に関連付けて記録媒体に記録し、
前記撮像装置が逆さに構えられて撮像された画像は、撮像された画像を逆さに回転して記録媒体に記録するように制御する制御工程と
を有することを特徴とする撮像装置の制御方法。
【請求項２１】
撮像手段を有する撮像装置の制御方法であって、
前記撮像装置の姿勢を検知する姿勢検知工程と、
前記撮像手段で撮像を行う際に前記姿勢検知工程で検知された姿勢に基づいて、
前記撮像装置が、第１の姿勢から９０度回転した第２の姿勢に構えられて撮像された場合には、撮像された画像を回転することなく記録媒体に記録するとともに、前記撮像装置が前記第２の姿勢に構えられた旨を示す姿勢情報を属性情報として前記画像に関連付けて記録媒体に記録し、
前記撮像装置が前記第１の姿勢から１８０度回転した第３の姿勢に構えられて撮像された画像は、撮像された画像を１８０度に回転して記録媒体に記録するように制御する制御工程と
を有することを特徴とする撮像装置の制御方法。
【請求項２２】
コンピュータを、請求項１乃至１８の何れか１項に記載された撮像装置の各手段として機能させるためのプログラム。
【請求項２３】
コンピュータを、請求項１乃至１８の何れか１項に記載された撮像装置の各手段として機能させるためのプログラムを格納したコンピュータが読み取り可能な記憶媒体。
【手続補正２】
【補正対象書類名】明細書
【補正対象項目名】００１０
【補正方法】変更
【補正の内容】
【００１０】
本発明の撮像装置は、撮像手段を有する撮像装置であって、前記撮像装置の姿勢を検知する姿勢検知手段と、前記撮像手段で撮像を行う際に前記姿勢検知手段で検知された姿勢に基づいて、前記撮像装置が縦に構えられて撮像された場合には、撮像された画像を回転することなく記録媒体に記録するとともに、前記撮像装置が縦に構えられた旨を示す姿勢情報を属性情報として前記画像に関連付けて記録媒体に記録し、前記撮像装置が逆さに構えられて撮像された画像は、撮像された画像を逆さに回転して記録媒体に記録するように制御する制御手段とを有することを特徴とする。